(57)【要約】【課題】ドキュメントデータに基づいて画像を出力する装置の操作性を向上させる。【解決手段】複数のドキュメントデータは順序づけられており、複数のドキュメントデータの各々は、複数の属性毎に区分した状態で記憶されている。そして、１つのドキュメントデータに基づく画像が出力手段に出力された後に、次のドキュメントデータに基づく画像が出力手段に出力される（図５（ｂ））。また、１つのドキュメントデータを構成する特定の属性に基づく画像が出力手段に出力された後に、属性に基づいて、次の画像が出力手段に出力される（図５（ａ）、（ｃ））。つまり、画像の表示手法として、ドキュメントデータ毎に画像が表示される手法と、属性毎に画像が表示される手法との２つの手法が採用されている。これにより、ユーザは、２つの手法から任意の手法を選択することが可能となり、装置の操作性が向上する。【選択図】図５
2014048925.tif 000002
【特許請求の範囲】
【請求項１】
複数のドキュメントから取得された複数のドキュメントデータを記憶する記憶手段と、
前記複数のドキュメントデータに基づいて画像を出力するための出力手段と、
を備えた出力装置のコンピュータが読み取り可能な出力処理プログラムであって、
前記複数のドキュメントデータは順序づけられており、
前記記憶手段は、前記複数のドキュメントデータの各々を、ドキュメントを構成する複数の属性毎に区分した状態で記憶しており、
前記複数のドキュメントデータのうちの１つのドキュメントデータに基づく画像を前記出力手段に出力させた後に、前記順序に基づいて、前記複数のドキュメントデータのうちの次のドキュメントデータに基づく画像を前記出力手段に出力させる第１出力制御手段と、
前記複数のドキュメントデータのうちの１つのドキュメントデータを構成する前記複数の属性のうちの特定の属性に基づく画像を前記出力手段に出力させた後に、前記属性に基づいて、次の画像を前記出力手段に出力させる第２出力制御手段と、
して前記出力装置のコンピュータを機能させることを特徴とする出力処理プログラム。
【請求項２】
前記第２出力制御手段は、
前記複数のドキュメントデータのうちの１つのドキュメントデータを構成する前記複数の属性のうちの特定の属性に基づく画像を前記出力手段に出力させた後に、前記複数のドキュメントデータのうちの次のドキュメントデータを構成する前記特定の属性に基づく画像を前記出力手段に出力させることを特徴とする請求項１に記載の出力処理プログラム。
【請求項３】
前記第２出力制御手段は、
前記複数のドキュメントデータのうちの最後のドキュメントデータを構成する前記特定の属性に基づく画像を前記出力手段に出力させた後に、前記１つのドキュメントデータを構成する前記特定の属性の次の属性に基づく画像を前記出力手段に出力させることを特徴とする請求項２に記載の出力処理プログラム。
【請求項４】
前記記憶手段は、前記複数の属性毎に振り付けられたページ数を記憶しており、
前記第１出力制御手段および前記第２出力制御手段は、
前記複数の属性毎に振り付けられたページ数の順番に従って、画像を前記出力手段に出力させることを特徴とする請求項１ないし３の何れか１項に記載の出力処理プログラム。
【請求項５】
前記複数の属性毎に振り付けられたページ数のうちの任意のページ数の入力を受け付けるページ数入力受付手段として前記出力装置のコンピュータを機能させ、
前記第１出力制御手段および前記第２出力制御手段は、
前記ページ数入力受付手段によって受け付けられた前記任意のページ数に対応する画像を前記出力手段に出力させることを特徴とする請求項４に記載の出力処理プログラム。
【請求項６】
前記第１出力制御手段は、
前記複数のドキュメントデータのうちの１つのドキュメントデータを構成する前記複数の属性の最後の属性に振り付けられたページ数の最後のページに対応する画像を前記出力手段に出力させた後に、前記複数のドキュメントデータのうちの次のドキュメントデータを構成する前記複数の属性の最初の属性に振り付けられたページ数の最初のページに対応する画像を前記出力手段に出力させることを特徴とする請求項４または５に記載の出力処理プログラム。
【請求項７】
前記第２出力制御手段は、
前記複数のドキュメントデータのうちの１つのドキュメントデータを構成する前記複数の属性のうちの特定の属性に振り付けられたページ数の最後のページに対応する画像を前記出力手段に出力させた後に、前記複数のドキュメントデータのうちの次のドキュメントデータを構成する前記特定の属性に振り付けられたページ数の最初のページに対応する画像を前記出力手段に出力させることを特徴とする請求項４ないし６の何れか１項に記載の出力処理プログラム。
【請求項８】
前記複数のドキュメントデータの順番の入力を受け付けるデータ順入力受付手段として前記出力装置のコンピュータを機能させることを特徴とする請求項１ないし７の何れか１項に記載の出力処理プログラム。
【請求項９】
複数のドキュメントから取得された複数のドキュメントデータを記憶する記憶手段と、
前記複数のドキュメントデータに基づいて画像を出力するための出力手段と、
を備えた出力装置であって、
前記複数のドキュメントデータは順序づけられており、
前記記憶手段は、前記複数のドキュメントデータの各々を、ドキュメントを構成する複数の属性毎に区分した状態で記憶しており、
前記複数のドキュメントデータのうちの１つのドキュメントデータに基づく画像を前記出力手段に出力させた後に、前記順序に基づいて、前記複数のドキュメントデータのうちの次のドキュメントデータに基づく画像を前記出力手段に出力させる第１出力制御手段と、
前記複数のドキュメントデータのうちの１つのドキュメントデータを構成する前記複数の属性のうちの特定の属性に基づく画像を前記出力手段に出力させた後に、前記属性に基づいて、次の画像を前記出力手段に出力させる第２出力制御手段と、
を備えることを特徴とする出力装置。
【請求項１０】
複数のドキュメントから複数のドキュメントデータを取得する取得装置のコンピュータが読み取り可能な取得処理プログラムであって、
前記複数のドキュメントデータの各々を、ドキュメントを構成する複数の属性毎に区分した状態で取得するとともに、前記複数の属性毎に振り付けられたページ数を取得するデータ取得手段として前記取得装置のコンピュータを機能させることを特徴とする取得処理プログラム。
【請求項１１】
前記複数のドキュメントデータの順番を取得するデータ順取得手段として前記取得装置のコンピュータを機能させることを特徴とする請求項１０に記載の取得処理プログラム。
【請求項１２】
複数のドキュメントから複数のドキュメントデータを取得する取得装置であって、
前記複数のドキュメントデータの各々を、ドキュメントを構成する複数の属性毎に区分した状態で取得するとともに、前記複数の属性毎に振り付けられたページ数を取得するデータ取得手段を備えることを特徴とする取得装置。
【発明の詳細な説明】
【技術分野】
【０００１】
本発明は、ドキュメントデータに基づいて画像を出力するための出力処理プログラム等に関する。
【背景技術】
【０００２】
特許文献１には、ドキュメントデータをスキャン等によって取得し、そのドキュメントデータに基づく画像を出力装置に出力するための技術が開示されている。その技術では、ユーザによりキーワードが入力されるようになっており、その入力されたキーワードに応じた画像が出力される。これにより、ユーザは、キーワードに応じた画像を閲覧することが可能となり、装置の操作性が向上する。
【先行技術文献】
【特許文献】
【０００３】
【特許文献１】特開平７−１３１６０１号公報
【発明の概要】
【発明が解決しようとする課題】
【０００４】
ドキュメントデータの基となるドキュメントには、複数の冊子から構成されるもの、具体的には、上下巻により構成されるもの、１巻から１０巻の１０冊の冊子により構成されるもの等がある。つまり、複数のドキュメントが順序づけられている場合がある。このような順序づけられた複数のドキュメントを出力装置に出力する際に、種々の工夫を凝らすことで、装置の操作性が向上する。特に、ドキュメントが複数の属性、具体的には、表紙、目次、本文等の複数の属性によって構成されている場合には、種々の工夫を凝らすことで、装置の操作性が向上する。本発明は、そのような事情に鑑みてなされたものであり、ドキュメントデータに基づいて画像を出力するための装置の操作性を向上させることが可能な技術を提供する。
【課題を解決するための手段】
【０００５】
上記課題を解決するために、本発明に記載の出力処理プログラムは、複数のドキュメントから取得された複数のドキュメントデータを記憶する記憶手段と、前記複数のドキュメントデータに基づいて画像を出力するための出力手段とを備えた出力装置のコンピュータが読み取り可能な出力処理プログラムであって、前記複数のドキュメントデータは順序づけられており、前記記憶手段は、前記複数のドキュメントデータの各々を、ドキュメントを構成する複数の属性毎に区分した状態で記憶しており、前記複数のドキュメントデータのうちの１つのドキュメントデータに基づく画像を前記出力手段に出力させた後に、前記順序に基づいて、前記複数のドキュメントデータのうちの次のドキュメントデータに基づく画像を前記出力手段に出力させる第１出力制御手段と、前記複数のドキュメントデータのうちの１つのドキュメントデータを構成する前記複数の属性のうちの特定の属性に基づく画像を前記出力手段に出力させた後に、前記属性に基づいて、次の画像を前記出力手段に出力させる第２出力制御手段として前記出力装置のコンピュータを機能させることを特徴とする。
【０００６】
上記課題を解決するために、本発明に記載の取得処理プログラムは、複数のドキュメントから複数のドキュメントデータを取得する取得装置のコンピュータが読み取り可能な取得処理プログラムであって、前記複数のドキュメントデータの各々を、ドキュメントを構成する複数の属性毎に区分した状態で取得するとともに、前記複数の属性毎に振り付けられたページ数を取得するデータ取得手段として前記取得装置のコンピュータを機能させることを特徴とする。
【発明の効果】
【０００７】
本発明に記載の出力処理プログラムでは、１つのドキュメントデータに基づく画像が出力手段に出力された後に、その１つのドキュメントデータの次のドキュメントデータに基づく画像が出力手段に出力される。また、１つのドキュメントデータを構成する特定の属性に基づく画像が出力手段に出力された後に、属性に基づいて、次の画像が出力手段に出力される。つまり、画像の表示手法として、ドキュメントデータ毎に画像が表示される手法と、属性毎に画像が表示される手法との２つの手法が採用されている。これにより、ユーザは、２つの手法から任意の手法を選択することが可能となり、装置の操作性が向上する。
【０００８】
また、請求項２に記載の出力処理プログラムでは、１つのドキュメントデータを構成する特定の属性に基づく画像が出力手段に出力された後に、その１つのドキュメントデータの次のドキュメントデータを構成する特定の属性に基づく画像が出力手段に出力される。これにより、ユーザは、特定の属性に属する画像のみを、ドキュメントの順番通りに閲覧することが可能となる。
【０００９】
また、請求項３に記載の出力処理プログラムでは、最後のドキュメントデータを構成する特定の属性に基づく画像が出力手段に出力された後に、最初のドキュメントデータを構成する特定の属性の次の属性に基づく画像が出力手段に出力される。これにより、ユーザは、全ての属性に属する画像を、属性毎に閲覧することが可能となる。
【００１０】
また、請求項４に記載の出力処理プログラムでは、複数の属性毎に振り付けられたページ数の順番に従って、画像が出力手段に出力される。これにより、属性に基づいて画像を適切に表示することが可能となる。
【００１１】
また、請求項５に記載の出力処理プログラムでは、複数の属性毎に振り付けられたページ数のうちの任意のページ数が入力され、その任意のページ数に対応する画像が出力手段に出力される。これにより、ユーザは、ドキュメントを順番通りに閲覧するだけでなく、任意のページの画像を閲覧することが可能となる。
【００１２】
また、請求項６に記載の出力処理プログラムでは、１つのドキュメントデータを構成する最後の属性の最後のページに対応する画像が出力手段に出力された後に、次のドキュメントデータを構成する最初の属性の最初のページに対応する画像が出力手段に出力される。これにより、ユーザは、複数のドキュメントの各々を最初のページから最終ページまで、順次、閲覧することが可能となる。
【００１３】
また、請求項７に記載の出力処理プログラムでは、１つのドキュメントデータを構成する特定の属性の最後のページに対応する画像が出力手段に出力された後に、次のドキュメントデータを構成する特定の属性の最初のページに対応する画像が出力手段に出力される。これにより、ユーザは、特定の属性の画像を、最初のページから最終ページまで、ドキュメントの順番通りに閲覧することが可能となる。
【００１４】
また、請求項８に記載の出力処理プログラムでは、複数のドキュメントデータの順番が入力される。これにより、連続性のある複数のドキュメントを順序付けて表示することが可能となる。
【００１５】
また、本発明に記載の取得処理プログラムでは、複数のドキュメントデータの各々が、複数の属性毎に区分された状態で取得されるとともに、複数の属性毎に振り付けられたページ数も取得される。これにより、属性に基づいて画像を適切に表示することが可能となり、操作性が向上する。
【００１６】
また、請求項１１に記載の取得処理プログラムでは、複数のドキュメントデータの順番が取得される。これにより、連続性のある複数のドキュメントを順序付けて表示することが可能となる。
【図面の簡単な説明】
【００１７】
【図１】通信システム１のブロック図である。
【図２】携帯電話１０の動作フローチャートを示す図である。
【図３】スキャンアプリケーション３２ａの実行によりパネル２２に表示される画面を示す図である。
【図４】スキャンアプリケーション３２ａの実行により取得される画像データを概念的に示す図である。
【図５】画像データがパネル２２に表示される際の表示手法を概念的に示した図である。
【図６】携帯電話１０の動作フローチャートを示す図である。
【図７】ビューワアプリケーション３２ｂの実行によりパネル２２に表示される画面を示す図である。
【図８】第２実施形態の携帯電話１０の動作フローチャートを示す図である。
【図９】第２実施形態のスキャンアプリケーション３２ａの実行によりパネル２２に表示される画面を示す図である。
【図１０】第２実施形態において画像データがパネル２２に表示される際の表示手法を概念的に示した図である。
【発明を実施するための形態】
【００１８】
＜第１実施形態＞
図１に、本願に係る第１実施形態として例示される通信システム１のブロック図を示す。通信システム１は、携帯電話１０、ＭＦＰ（Multifunction Peripheralの略）５０、第１アクセスポイント８０、ウェブサーバ８２、基地局８４を備える。携帯電話１０、および、ＭＦＰ５０は、既知の無線ＬＡＮ端末装置としての機能を備える。また、ＭＦＰ５０は、プリンタ機能、スキャナ機能、コピー機能、ファクシミリ機能などを備える多機能周辺装置である。第１アクセスポイント８０は、既知の無線ＬＡＮアクセスポイントとしての機能を備える。ウェブサーバ８２は、ネットワークにおいて、クライアント装置に対し、自身の持っている機能やデータを提供する装置である。
【００１９】
なお、携帯電話１０と第１アクセスポイント８０とは、無線ＬＡＮ方式のインフラストラクチャーモード（複数の無線ＬＡＮ端末装置が、アクセスポイントを介してデータ通信するモード）に準拠する無線通信（電波を用いたデータ通信）９０を行うことが可能とされている。すなわち、携帯電話１０は、第１アクセスポイント８０へアクセスし、無線ＬＡＮのインフラストラクチャーモードに準拠する無線通信９０を行える状態になれば、第１アクセスポイント８０を介して、ＭＦＰ５０とデータ通信することが可能になる。なお、無線ＬＡＮ方式の例としては、例えば、ＩＥＥＥ８０２．１１ａ／ｂ／ｇ／ｎの規格で定められる通信方式が挙げられる。
【００２０】
携帯電話１０の構成について説明する。携帯電話１０は、ＣＰＵ（Central Processing Unitの略）１２、記憶部１４、無線送受信部１６、無線アンテナ部１８、ボタン入力部２０、パネル２２、携帯電話送受信部２４、携帯電話アンテナ部２６を主に備えている。
【００２１】
ＣＰＵ１２は、記憶部１４内のプログラム３２に従って処理を実行する。以降、スキャンアプリケーション３２ａやビューワアプリケーション３２ｂなど、プログラムを実行するＣＰＵ１２のことを、単にプログラム名でも記載する場合がある。例えば、「スキャンアプリケーション３２ａが」という記載は、「スキャンアプリケーション３２ａを実行するＣＰＵ１２が」ということを意味する場合がある。なお、記憶部１４は、ＲＡＭ（Random Access Memoryの略）、ＲＯＭ（Read Only Memoryの略）、フラッシュメモリー、ＨＤＤ（ハードディスクの略）、ＣＰＵ１２が備えるバッファなどが組み合わされて構成されている。
【００２２】
無線送受信部１６は、無線アンテナ部１８を介して、無線ＬＡＮのインフラストラクチャーモードに準拠する無線通信９０を行う。また、携帯電話送受信部２４は、携帯電話アンテナ部２６を介して、基地局８４との間で携帯電話通信の方式に準拠する無線通信９２を行う。そして、無線送受信部１６、携帯電話送受信部２４などにより、各種のデータを構成するデジタル信号が送受信される。
【００２３】
記憶部１４は、プログラム３２を記憶する。プログラム３２は、スキャンアプリケーション３２ａ、ビューワアプリケーション３２ｂ、オペレーティングシステム３２ｃを含む。スキャンアプリケーション３２ａは、携帯電話１０からＭＦＰ５０へのスキャン処理をＣＰＵ１２に実行させるためのアプリケーションである。ビューワアプリケーション３２ｂは、画像ファイル記憶領域１４ａに記憶されている画像データによって表される画像をパネル２２に表示させる処理を、ＣＰＵ１２に実行させるためのアプリケーションである。
【００２４】
オペレーティングシステム３２ｃは、スキャンアプリケーション３２ａ、ビューワアプリケーション３２ｂに利用される基本的な機能を提供するプログラムである。オペレーティングシステム３２ｃは、携帯電話送受信部２４に通話を実行させるためのプログラムや、無線送受信部１６に無線通信９０を実行させるためのプログラムなどを含む。
【００２５】
また、記憶部１４は、画像ファイル記憶領域１４ａを備える。画像ファイル記憶領域１４ａは、複数の画像ファイルを記憶する領域である。画像ファイルの一例としては、ＭＦＰ５０によってスキャンされた複数の原稿の画像データを含む画像ファイルが挙げられる。
【００２６】
パネル２２は、携帯電話１０の各種機能を表示する表示面を備える。ボタン入力部２０は、タッチセンサを有し、パネル２２と一体的に構成されており、入力媒体のパネル２２への接近・接触を検出し、ユーザによるボタン操作を受け付ける。
【００２７】
＜携帯電話の動作＞
第１実施形態に係る携帯電話１０の動作を説明する。携帯電話１０では、スキャンアプリケーション３２ａを用いて、ＭＦＰ５０のスキャナによってドキュメントを構成する複数の原稿から複数の画像データを取得するための処理が施される。詳しくは、ドキュメントは、表紙，目次，本文といった複数の属性に区分されており、それら複数の属性毎に画像データが取得される。具体的に、図２を用いて、複数の属性毎に画像データを取得するためのフローを説明する。
【００２８】
Ｓ１００において、ＣＰＵ１２は、パネル２２に、図３（ａ）に示す表紙スキャン指示画面１００を表示する。そして、Ｓ１０２に進む。表紙スキャン指示画面１００は、表紙に属する属性の原稿をスキャンするための画面であり、スキャンボタン１０２が表示されている。
【００２９】
Ｓ１０２において、ＣＰＵ１２は、スキャンボタン１０２が押下されることを条件として、表紙の画像データを取得するためのスキャン処理命令を、ＭＦＰ５０へ送信する。ＭＦＰ５０は、命令を受け付けることに応じて、原稿台にセットされた表紙原稿をスキャンし、表紙原稿の画像データを生成する。そして、Ｓ１０４に進む。
【００３０】
Ｓ１０４において、ＣＰＵ１２は、ＭＦＰ５０から表紙原稿の画像データを取得し、その取得した画像データを、画像ファイル記憶領域１４ａに保存する。このとき、ＣＰＵ１２は、属性情報とページ数とを画像データに関連付けて保存する。詳しくは、表紙原稿に関するデータとして、図４に示すように、属性情報に関するデータ、ページ数の振り付けられた複数の画像データが、画像ファイル記憶領域１４ａに保存される。そして、Ｓ１０６に進む。
【００３１】
Ｓ１０６において、ＣＰＵ１２は、パネル２２に目次スキャン指示画面を表示する。そして、Ｓ１０８に進む。目次スキャン指示画面は、表紙スキャン指示画面１００と略同じであり、スキャンボタンが表示されている。
【００３２】
Ｓ１０８において、ＣＰＵ１２は、目次スキャン指示画面のスキャンボタンが押下されることを条件として、目次の画像データを取得するためのスキャン処理命令を、ＭＦＰ５０へ送信する。ＭＦＰ５０は、命令を受け付けることに応じて、原稿台にセットされた目次原稿をスキャンし、目次原稿の画像データを生成する。そして、Ｓ１１０に進む。
【００３３】
Ｓ１１０において、ＣＰＵ１２は、ＭＦＰ５０から目次原稿の画像データを取得し、その取得した画像データを、画像ファイル記憶領域１４ａに保存する。このとき、ＣＰＵ１２は、属性情報とページ数とを画像データに関連付けて保存する。詳しくは、目次原稿に関するデータとして、表紙原稿に関するデータと同様に、属性情報に関するデータ、ページ数の振り付けられた複数の画像データが、画像ファイル記憶領域１４ａに保存される。そして、Ｓ１１２に進む。
【００３４】
Ｓ１１２において、ＣＰＵ１２は、パネル２２に本文スキャン指示画面を表示する。そして、Ｓ１１４に進む。本文スキャン指示画面は、表紙スキャン指示画面１００と略同じであり、スキャンボタンが表示されている。
【００３５】
Ｓ１１４において、ＣＰＵ１２は、本文スキャン指示画面のスキャンボタンが押下されることを条件として、本文の画像データを取得するためのスキャン処理命令を、ＭＦＰ５０へ送信する。ＭＦＰ５０は、命令を受け付けることに応じて、原稿台にセットされた本文原稿をスキャンし、本文原稿の画像データを生成する。そして、Ｓ１１６に進む。
【００３６】
Ｓ１１６において、ＣＰＵ１２は、ＭＦＰ５０から本文原稿の画像データを取得し、その取得した画像データを、画像ファイル記憶領域１４ａに保存する。このとき、ＣＰＵ１２は、属性情報とページ数とを画像データに関連付けて保存する。詳しくは、本文原稿に関するデータとして、表紙原稿に関するデータと同様に、属性情報に関するデータ、ページ数の振り付けられた複数の画像データが、画像ファイル記憶領域１４ａに保存される。そして、Ｓ１１８に進む。
【００３７】
Ｓ１１８において、ＣＰＵ１２は、図３（ｂ）に示すドキュメント情報入力画面１０４を表示する。ドキュメント情報入力画面１０４は、ドキュメントに関する情報を入力するための画面であり、タイトル入力ボックス１０６、巻数入力ボックス１０８、ＯＫボタン１１０が表示されている。
【００３８】
タイトル入力ボックス１０６は、ドキュメントの題目を入力するためのボックスである。巻数入力ボックス１０８は、複数のドキュメントが順序付けされたものである場合に、その順番を入力するためのボックスである。具体的には、例えば、スキャンの対象となる２つのドキュメントとして、上下巻により構成される２冊の小説が採用される場合には、上巻の小説のドキュメント情報入力時には、巻数入力ボックス１０８に「１」が入力され、下巻の小説のドキュメント情報入力時には、巻数入力ボックス１０８に「２」が入力される。ＯＫボタン１１０は、ドキュメント情報入力画面１０４への入力が完了した場合に操作されるボタンであり、ＯＫボタン１１０の操作により、Ｓ１２０に進む。
【００３９】
Ｓ１２０において、ＣＰＵ１２は、ドキュメント情報入力画面１０４に入力されたドキュメント情報を画像ファイル記憶領域１４ａに保存する。これにより、１つのドキュメントから、複数の属性毎に区分された状態の画像データが取得され、それら複数の画像データは、複数の画像データの基となるドキュメントの情報とともに、記憶される。具体的には、１つのドキュメントに関する画像データは、図４に示すように、表紙原稿に関する画像データ、目次原稿に関する画像データ、本文原稿に関する画像データに区分けされるとともに、それら３つの属性に関する画像データが、ドキュメント情報に関するデータと関連付けて記憶されている。画像ファイル記憶領域１４ａには、１つのドキュメントに関する、ドキュメント情報に関するデータと、各画像データとからなるデータセットが、ドキュメントごとに記憶される。ドキュメントごとのデータセットのことを、ドキュメントデータセットとも記載する。表紙原稿に関する画像データ、目次原稿に関する画像データ、本文原稿に関する画像データのことをそれぞれ、表紙画像データ、目次画像データ、本文画像データとも記載する。１つのドキュメントデータセットに含まれる、ページ数の降りつけられた複数の表紙画像データ、複数の目次画像データ、複数の本文画像データのセットを、それぞれ、表紙画像データセット、目次画像データセット、本文画像データセットとも記載する。
【００４０】
上述したように取得された画像データに基づく画像は、ビューワアプリケーション３２ｂを用いて、パネル２２に表示され、ページめくり操作によって、パネル２２に表示された画像が順次変更される。携帯電話１０では、ページめくり操作による画像の変更に、３つのモードが用意されており、それら３つのモードから１つのモードを選択することが可能となっている。
【００４１】
３つのモードとして、結合モード、分離モード、本文モードが用意されている。以下に、各モードについて、３つの連続するドキュメント、例えば、上中下巻により構成される３冊の小説の画像データが、上記スキャン処理により、画像ファイル記憶領域１４ａに記憶されている場合について説明する。
【００４２】
結合モードでは、図５（ａ）に示すように、上巻のドキュメントデータセット内の表紙画像データが上巻の表紙画像データセット内のページ順序にしたがって順次表示され、上巻の表紙画像データセット内の最終ページの次には、上巻の次の順序が順序付けされている、中巻のドキュメントデータセット内の表紙画像データが、中巻の表紙画像データセット内のページ順序にしたがって、先頭ページから順次表示される。そして、中巻の表紙画像データセット内の最終ページの次には、中巻の次の順序が順序付けされている、下巻のドキュメントデータセット内の表紙画像データが、下巻の表紙画像データセット内のページ順序にしたがって、先頭ページから順次表示される。下巻の表紙画像データセット内の最終ページの次には、下巻の次の順序が順序つけられているドキュメントデータセットが存在しないので、最上位である上巻のドキュメントデータセット内の画像データのうち、表紙画像データセットの次の順序である目次画像データセット内の目次画像データが、上巻の目次画像データセット内のページ順序にしたがって、先頭ページから順次表示される。そして、上巻の目次画像データセット内の最終ページの次には、中巻のドキュメントデータセット内の目次画像データが、中巻の目次画像データセット内のページ順序にしたがって、先頭ページから順次表示される。中巻の目次画像データセット内の最終ページの次には、下巻のドキュメントデータセット内の目次画像データが、下巻の目次画像データセット内のページ順序にしたがって、先頭ページから順次表示される。そして、下巻の目次画像データセット内の最終ページの次には、上巻のドキュメントデータセット内の画像データのうち、目次画像データセットの次の順序である本文画像データセット内の本文画像データが、上巻の本文画像データセット内のページ順序にしたがって、先頭ページから順次表示される。上巻の本文画像データセット内の最終ページの次には、中巻のドキュメントデータセット内の本文画像データが、中巻の本文画像データセット内のページ順序にしたがって、先頭ページから順次表示される。中巻の本文画像データセット内の最終ページの次には、下巻のドキュメントデータセット内の本文画像データが、下巻の本文画像データセット内のページ順序にしたがって、先頭ページから順次表示される
【００４３】
分離モードでは、図５（ｂ）に示すように、上巻のドキュメントデータセット内の表紙画像データが上巻の表紙画像データセット内のページ順序にしたがって順次表示され、上巻の表紙画像データセット内の最終ページの次には、上巻のドキュメントデータセット内の画像データのうち、表紙画像データセットの次の順序である目次画像データセット内の目次画像データが、上巻の目次画像データセット内のページ順序にしたがって順次表示される。上巻の目次画像データセット内の最終ページの次には、上巻のドキュメントデータセット内の画像データのうち、目次画像データセットの次の順序である本文画像データセット内の本文画像データが、上巻の本文画像データセット内のページ順序にしたがって順次表示される。そして、上巻の本文画像データセット内の最終ページの次には、上巻の本文画像データセットの次に順序つけられている画像データセットが存在しないので、中巻のドキュメントデータセット内の最上位である表紙画像データセット内の表紙画像データが、中巻の表紙画像データセット内のページ順序にしたがって順次表示される。中巻の表紙画像データセット内の最終ページの次には、中巻のドキュメントデータセット内の目次画像データが、中巻の目次画像データセット内のページ順序にしたがって順次表示される。中巻の目次画像データセット内の最終ページの次には、中巻のドキュメントデータセット内の本文画像データが、中巻の本文画像データセット内のページ順序にしたがって順次表示される。そして、中巻の本文画像データセット内の最終ページの次には、下巻のドキュメントデータセット内の最上位である表紙画像データセット内の表紙画像データが、下巻の表紙画像データセット内のページ順序にしたがって順次表示される。下巻の表紙画像データセット内の最終ページの次には、下巻のドキュメントデータセット内の目次画像データが、下巻の目次画像データセット内のページ順序にしたがって順次表示される。下巻の目次画像データセット内の最終ページの次には、下巻のドキュメントデータセット内の本文画像データが、下巻の本文画像データセット内のページ順序にしたがって順次表示される。
【００４４】
本文モードでは、図５（ｃ）に示すように、上巻のドキュメントデータセット内の本文画像データが上巻の本文画像データセット内のページ順序にしたがって順次表示され、上巻の本文画像データセット内の最終ページの次には、上巻の次の順序が順序付けされている、中巻のドキュメントデータセット内の本文画像データが、中巻の本文画像データセット内のページ順序にしたがって、先頭ページから順次表示される。そして、中巻の本文画像データセット内の最終ページの次には、中巻の次の順序が順序付けされている、下巻のドキュメントデータセット内の本文画像データが、下巻の本文画像データセット内のページ順序にしたがって、先頭ページから順次表示される。
【００４５】
上記３つのモードのうちのいずれかのモードに従って、画像データに基づく画像がパネル２２に順次表示される。以下に、図６を用いて、画像データに基づく画像のパネル２２への表示および、ページめくり操作に基づく画像の変更を行うためのフローを説明する。
【００４６】
Ｓ１３０において、ＣＰＵ１２は、図７（ａ）に示すモード選択画面１１２を表示する。モード選択画面１１２は、３つのモードから１つのモードを選択するための画面であり、３つのチェックボックス１１４，１１６，１１８、ＯＫボタン１２０が表示されている。
【００４７】
３つのチェックボックス１１４，１１６，１１８は、３つのモードに対応して設けられており、３つのチェックボックス１１４，１１６，１１８のいずれかに「レ」の記号が記されることで、１つのモードが選択される。ＯＫボタン１２０は、モード選択画面１１２への入力が完了した場合に操作されるボタンであり、ＯＫボタン１２０の操作により、Ｓ１３１に進む。
【００４８】
Ｓ１３１において、ＣＰＵ１２は、画像ファイル記憶領域１４ａに記憶されているドキュメント情報を読み込む。そして、Ｓ１３２に進む。Ｓ１３２において、ＣＰＵ１２は、選択されたモードが本文モードであるか否かを判断する。選択されたモードが本文モードでない場合（Ｓ１３２：ＮＯ）にはＳ１３４に進む。Ｓ１３４において、ＣＰＵ１２は、表示属性を表紙に設定する。そして、Ｓ１３８に進む。ちなみに、表示属性は、パネル２２に表示される画像の画像データが属する属性を示すものであり、表示属性の画像データに基づく画像が、パネル２２に表示される。
【００４９】
一方、選択されたモードが本文モードである場合（Ｓ１３２：ＹＥＳ）にはＳ１３６に進む。Ｓ１３４において、ＣＰＵ１２は、表示属性を本文に設定する。そして、Ｓ１３８に進む。
【００５０】
Ｓ１３８において、ＣＰＵ１２は、パネル２２に表示すべきページ数を１に設定する。そして、Ｓ１４０に進む。Ｓ１４０において、ＣＰＵ１２は、表示属性および表示ページ数に従って、画像データに基づく画像をパネル２２に表示する。なお、画像が表示される際には、ドキュメント情報が利用される。具体的には、例えば、パネル２２に画像が初めて表示される際に、表示属性が表紙に設定されている場合には、ドキュメント情報の巻数が「１」に設定されているドキュメントの表紙の１ページ目が、パネル２２に表示される。つまり、巻数が「１」のドキュメントデータセット内の表紙画像データの最初のページが、パネル２２に表示される。
【００５１】
パネル２２に表示される画像には、図７（ｂ）に示すように、ページ戻りボタン１２２、ページ送りボタン１２４、ページ指定ボタン１２６が表示されている。ページ戻りボタン１２２は、現在表示されている画像の前の画像をパネル２２に表示させるためのボタンである。ページ送りボタン１２４は、現在表示されている画像の次の画像をパネル２２に表示させるためのボタンである。ページ指定ボタン１２６は、任意のページを指定するページ指定画面をパネル２２に表示させるためのボタンである。
【００５２】
Ｓ１４０の処理により画像がパネル２２に表示されると、Ｓ１４２に進む。Ｓ１４２において、ＣＰＵ１２は、ページ送りボタン１２４が操作されたか否かを判断する。ページ送りボタン１２４が操作された場合（Ｓ１４２：ＹＥＳ）にはＳ１４４に進む。Ｓ１４４において、ＣＰＵ１２は、選択されているモードに従って、現在表示されている画像の次の画像に相当する表示属性及び表示ページを決定する。そして、Ｓ１４０に進み、ＣＰＵ１２は、決定された表示属性及び表示ページに従って、画像をパネル２２に表示する。
【００５３】
具体的には、例えば、結合モードが選択されており、巻数が「３」のドキュメントデータセット内の表紙画像データの最終ページがパネル２２に表示されている場合には、ページ送りボタン１２４の操作により、巻数が「１」のドキュメントデータセット内の目次画像データの最初のページがパネル２２に表示される（図５（ａ）参照）。また、例えば、分離モードが選択されており、巻数が「１」のドキュメントデータセット内の本文画像データの最終ページがパネル２２に表示されている場合には、ページ送りボタン１２４の操作により、巻数が「２」のドキュメントデータセット内の表紙画像データの最初のページがパネル２２に表示される（図５（ｂ）参照）。また、例えば、本文モードが選択されており、巻数が「２」のドキュメントデータセット内の本文画像データの最終ページがパネル２２に表示されている場合には、ページ送りボタン１２４の操作により、巻数が「３」のドキュメントデータセット内の本文画像データの最初のページがパネル２２に表示される（図５（ｃ）参照）。
【００５４】
一方、ページ送りボタン１２４が操作されていない場合（Ｓ１４２：ＮＯ）にはＳ１４６に進む。Ｓ１４６において、ＣＰＵ１２は、ページ戻りボタン１２２が操作されたか否かを判断する。ページ戻りボタン１２２が操作された場合（Ｓ１４６：ＹＥＳ）にはＳ１４８に進む。Ｓ１４８において、ＣＰＵ１２は、選択されているモードに従って、現在表示されている画像の前の画像に相当する表示属性及び表示ページを決定する。そして、Ｓ１４０に進み、ＣＰＵ１２は、決定された表示属性及び表示ページに従って、画像をパネル２２に表示する。
【００５５】
具体的には、例えば、結合モードが選択されており、巻数が「３」のドキュメントデータセット内の目次画像データの最初のページがパネル２２に表示されている場合には、ページ戻りボタン１２２の操作により、巻数が「２」のドキュメントデータセット内の目次画像データの最終ページがパネル２２に表示される（図５（ａ）参照）。また、例えば、分離モードが選択されており、巻数が「３」のドキュメントデータセット内の表紙画像データの最初のページがパネル２２に表示されている場合には、ページ戻りボタン１２２の操作により、巻数が「２」のドキュメントデータセット内の本文画像データの最終ページがパネル２２に表示される（図５（ｂ）参照）。また、例えば、本文モードが選択されており、巻数が「３」のドキュメントデータセット内の本文画像データの最初のページがパネル２２に表示されている場合には、ページ戻りボタン１２２の操作により、巻数が「２」のドキュメントデータセット内の本文画像データの最終ページがパネル２２に表示される（図５（ｃ）参照）。
【００５６】
一方、ページ戻りボタン１２２が操作されていない場合（Ｓ１４６：ＮＯ）にはＳ１５０に進む。Ｓ１５０において、ＣＰＵ１２は、指定ページが設定されているか否かを判断する。ちなみに、指定ページの設定は、パネル２２に表示されているページ指定ボタン１２６の操作により行われる。具体的には、ページ指定ボタン１２６の操作により、図７（ｃ）に示すページ指定画面１２８がパネル２２に表示される。ページ指定画面１２８には、属性選択ボックス１３０、ページ入力ボックス１３２、ＯＫボタン１３４が表示される。
【００５７】
属性選択ボックス１３０は、ページ指定先の属性を選択するためのボックスであり、属性選択ボックス１３０の操作により、属性の一覧が表示される。つまり、属性選択ボックス１３０の操作により、表紙、目次、本文の各々を選択するためのボタン（図示省略）が表示される。そして、その３つのボタンから１つのボタンが操作されることで、ページ指定先の属性が選択される。ページ入力ボックス１３２は、ページ指定先のページ数を入力するためのボックスである。ＯＫボタン１３４は、ページ指定画面１２８への入力が完了した場合に操作されるボタンであり、ＯＫボタン１３４の操作により、指定ページが設定される。
【００５８】
指定ページが設定されている場合（Ｓ１５０：ＹＥＳ）にはＳ１５２に進む。Ｓ１５２において、ＣＰＵ１２は、設定された指定ページに従って、表示属性及び表示ページを決定する。そして、Ｓ１４０に進み、ＣＰＵ１２は、決定された表示属性及び表示ページに従って、画像をパネル２２に表示する。
【００５９】
＜効果＞
第１実施形態にかかる携帯電話１０では、ドキュメントを構成する表紙、目次、本文という複数の属性毎に区分した状態で画像データが取得される。そして、属性毎に区分された画像データには、属性毎にページ数が振り付けられている（Ｓ１０４、Ｓ１１０、Ｓ１１６）。これにより、後に詳しく説明するように、属性に基づいて画像を表示することが可能となる。
【００６０】
また、画像データ取得時には、ドキュメントの情報を取得することが可能となっている（Ｓ１２０）。これにより、取得したドキュメントの情報を利用することで、連続性のある複数のドキュメントを順序付けて表示することが可能となる。
【００６１】
また、第１実施形態にかかる携帯電話１０では、パネル２２に表示される画像のページめくり操作の手法として、図５に示すように、３つのモードが用意されている。これにより、ユーザは、任意のモードに従ってパネル２２に表示される画像のページめくり操作を行うことが可能となり、ページめくりの操作性が向上する。
【００６２】
具体的には、図５（ｂ）に示すように、分離モードにおいて、１つのドキュメントの画像がパネル２２に表示された後に、次のドキュメントの画像がパネル２２に表示される。これにより、ユーザは、複数のドキュメントを順番通りに閲覧することが可能となる。特に、１つのドキュメントの最後の属性、つまり、本文の最終ページの画像がパネル２２に表示された後に、次のドキュメントの最初の属性、つまり、表紙の最初のページの画像がパネル２２に表示される。これにより、ユーザは、複数のドキュメントの各々を最初のページから最終ページまで、順次、閲覧することが可能となる。
【００６３】
また、図５（ａ）及び（ｃ）に示すように、結合モード及び本文モードにおいて、１つのドキュメントの特定の属性の画像がパネル２２に表示された後に、属性に基づいて、次の画像がパネル２２に表示される。これにより、画像を属性毎にパネル２２に表示することが可能となり、ユーザは属性毎に画像を閲覧することが可能となる。具体的には、図５（ａ）に示すように、結合モードでは、１つのドキュメントの特定の属性、例えば、目次の画像がパネル２２に表示された後に、その特定の属性の次の属性、つまり、本文の画像がパネル２２に表示される。これにより、ユーザは、全ての属性の画像を、属性毎に順番通りに閲覧することが可能となる。
【００６４】
また、図５（ｃ）に示すように、本文モードでは、１つのドキュメントの特定の属性、つまり、本文の画像がパネル２２に表示された後に、次のドキュメントの特定の属性、つまり、本文の画像がパネル２２に表示される。これにより、ユーザは、特定の属性の画像のみを、順番通りに閲覧することが可能となる。特に、１つのドキュメントの特定の属性、つまり、本文の最終ページの画像がパネル２２に表示された後に、次のドキュメントの特定の属性、つまり、本文の最初のページの画像がパネル２２に表示される。これにより、ユーザは、複数のドキュメントの本文の画像の各々を、最初のページから最終ページまで、順次、閲覧することが可能となる。
【００６５】
また、パネル２２に表示される画像は、属性毎に振り付けられたページ数に従ってパネル２２に表示される（Ｓ１４０）。これにより、属性に基づく画像の表示を適切に行うことが可能となる。
【００６６】
また、複数のドキュメントの画像が表示される前には、複数のドキュメントの情報が、ＣＰＵ１２によって読み込まれている（Ｓ１３１）。これにより、連続性のある複数のドキュメントを順序付けて表示することが可能となる。
【００６７】
また、図７（ｃ）に示すページ指定画面１２８において任意のページ数を入力することが可能となっており、その任意のページの画像がパネル２２に表示される（Ｓ１５２）。これにより、ユーザは、ドキュメントを順番通りに閲覧するだけでなく、任意のページの画像を閲覧することが可能となる。
【００６８】
＜第２実施形態＞
第２実施形態に係る携帯電話１０の動作を説明する。なお、第２実施形態における携帯電話１０を含む通信システム１の構成は、第１実施形態における通信システム１の構成と同じであるため、ここでは説明を省略する。
【００６９】
第２実施形態にかかる携帯電話１０では、スキャンアプリケーション３２ａを用いて、ＭＦＰ５０のスキャナによってドキュメントを構成する複数の原稿から複数の画像データを取得するための処理が施される。詳しくは、表紙、目次、本文、非本文、あとがきの５つの属性によって構成されるドキュメントにおいて、それら５つの属性毎に画像データが取得される。具体的に、図８を用いて、５つの属性毎に画像データを取得するためのフローを説明する。なお、非本文は、本文を構成する複数の原稿の前後、若しくは、間に介挿されるものであり、本文とは関係の無い広告、イラスト等を示すものである。
【００７０】
Ｓ１６０において、ＣＰＵ１２は、パネル２２に、図９に示すスキャン指示画面１４０を表示する。そして、Ｓ１６２に進む。スキャン指示画面１４０は、各種属性の原稿をスキャンするための画面であり、属性指定ボックス１４２、スキャンボタン１４４、終了ボタン１４６が表示されている。属性指定ボックス１４２は、スキャンの対象となる属性を指定するためのボックスであり、属性指定ボックス１４２の操作により、属性の一覧が表示される。つまり、属性指定ボックス１４２の操作により、表紙、目次、本文、非本文、あとがきの各々を選択するためのボタン（図示省略）が表示される。そして、その５つのボタンから１つのボタンが操作されることで、スキャンされる原稿の属性が指定される。スキャンボタン１４４は、指定された属性の原稿をスキャンする際に操作されるボタンである。終了ボタン１４６は、全ての属性の原稿をスキャンした後に操作されるボタンである。
【００７１】
Ｓ１６２において、ＣＰＵ１２は、終了ボタン１４６が押下されたか否かを判断する。終了ボタン１４６が押下されていない場合（Ｓ１６２：ＮＯ）にはＳ１６４に進む。Ｓ１６４において、ＣＰＵ１２は、スキャンボタン１４４が押下されたか否かを判断する。スキャンボタン１４４が押下されていない場合（Ｓ１６４：ＮＯ）にはＳ１６２に戻る。
【００７２】
一方、スキャンボタン１４４が押下されている場合（Ｓ１６４：ＹＥＳ）にはＳ１６６に進む。Ｓ１６６において、ＣＰＵ１２は、スキャン指示画面１４０で指定された属性の画像データを取得するためのスキャン処理命令を、ＭＦＰ５０へ送信する。ＭＦＰ５０は、命令を受け付けることに応じて、原稿台にセットされた原稿をスキャンし、原稿の画像データを生成する。そして、Ｓ１６８に進む。
【００７３】
Ｓ１６８において、ＣＰＵ１２は、ＭＦＰ５０から原稿の画像データを取得し、その取得した画像データを、画像ファイル記憶領域１４ａに保存する。このとき、ＣＰＵ１２は、スキャン指示画面１４０で指定された属性情報とページ数とを画像データに関連付けて保存する。そして、Ｓ１６２に戻る。
【００７４】
また、終了ボタン１４６が押下された場合（Ｓ１６２：ＹＥＳ）にはＳ１７０に進む。Ｓ１７０において、ＣＰＵ１２は、図３（ｂ）に示すドキュメント情報入力画面１０４を表示する。そして、Ｓ１７２に進む。なお、ドキュメント情報入力画面１０４は、第１実施形態のものと同じであることから、説明を省略する。
【００７５】
Ｓ１７２において、ＣＰＵ１２は、ドキュメント情報入力画面１０４に入力されたドキュメント情報を画像ファイル記憶領域１４ａに保存する。これにより、１つのドキュメントから、複数の属性毎に区分された状態の画像データが取得され、それら複数の画像データは、複数の画像データの基となるドキュメントの情報とともに、記憶される。
【００７６】
＜効果＞
第２実施形態にかかる携帯電話１０では、ドキュメントを構成する表紙、目次、本文、非本文、あとがきという５つの属性毎に区分した状態で画像データが取得される。そして、属性毎に区分された画像データには、属性毎にページ数が振り付けられている（Ｓ１６８）。これにより、第１実施形態にかかる携帯電話１０と同様に、属性に基づいて画像を表示することが可能となる。具体的には、例えば、図１０に示すように、３つの連続性のあるドキュメントが、本文モードにおいてパネル２２に表示される場合について説明する。なお、１番目のドキュメントの本文の間には、非本文が介挿されており、３番目のドキュメントの本文の前後、および間に非本文が介挿されている。
【００７７】
本文モードでは、１番目のドキュメントデータセット内の本文画像データが１番目の本文画像データセット内のページ順序にしたがって順次表示される。その際に、非本文の画像データセットは、本文画像データセットと区別されているため、非本文の画像データは表示されない。これにより、１番目のドキュメントデータセットの本文画像データセットの最初のページから最終ページまで、画像が順次表示される。そして、１番目のドキュメントデータセットの本文画像データセット内の最終ページの次には、２番目のドキュメントデータセットの本文画像データセットの最初のページから最終ページまで、画像が順次表示される。そして、２番目のドキュメントデータセットの本文画像データセット内の最終ページの次に、３番目のドキュメントデータセット内の本文画像データが３番目の本文画像データセット内のページ順序にしたがって順次表示される。３番目のドキュメントが表示される際にも、１番目のドキュメントと同様に、非本文の画像データは表示されず、３番目のドキュメントデータセットの本文画像データセットの最初のページから最終ページまで、画像が順次表示される。このように、本文の前後、若しくは間に非本文が介挿されたドキュメントであっても、本文のみを順番通りにパネル２２に表示することが可能となる。
【００７８】
＜変形例＞
上記実施形態では、ビューワアプリケーション３２ｂを用いてパネル２２に表示させる画像の画像データは、ＭＦＰ５０から取得したものであるが、各種の方法により取得することが可能である。例えば、不図示のメモリスロットに装着された不揮発性のメモリから、画像データを取得する方法であってもよく、ウェブサーバ８２から画像データを取得する方法であってもよい。
【００７９】
また、画像データに基づく画像を表示し、ページめくり操作に基づいて、表示される画像を変更することが可能な装置は、携帯電話１０に限られない。例えば、ノートパソコンやタブレット機器などでもよい。
【００８０】
また、ドキュメントを構成する属性は、表紙、目次、本文、非本文、あとがきに限られず、種々のものを採用することが可能である。例えば、本文内の章を属性とすることが可能である。つまり、本文内の第１章、第２章、第３章等の各章を属性とすることが可能である。
【００８１】
また、上記実施例では、ページ戻りボタン１２２及びページ送りボタン１２４によりページめくり操作が行われているが、フリック操作、携帯電話１０の傾動等によりページめくり操作が行われてもよい。
【００８２】
本実施形態の携帯電話１０では、スキャンアプリケーション３２ａ、ビューワアプリケーション３２ｂに基づいて実行するＣＰＵ１２が、各種の処理を行う場合を説明した。しかし、この形態に限られない。スキャンアプリケーション３２ａ、ビューワアプリケーション３２ｂに基づいて実行するＣＰＵ１２が、オペレーティングシステム３２ｃ、他のシステム、ハード構成に対して、各種の処理を行わせる指示を出す形態であってもよい。
【００８３】
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【００８４】
携帯電話１０は出力装置及び取得装置の一例である。ＣＰＵ１２はコンピュータの一例である。画像ファイル記憶領域１４ａは記憶手段の一例である。パネル２２は出力手段の一例である。スキャンアプリケーション３２ａは取得処理プログラムの一例である。ビューワアプリケーション３２ｂは出力処理プログラムの一例である。Ｓ１０４、Ｓ１１０、Ｓ１１６を実行するＣＰＵ１２は、データ取得手段の一例である。Ｓ１２０を実行するＣＰＵ１２は、データ順取得手段の一例である。Ｓ１４４、Ｓ１４８、Ｓ１５２を実行するＣＰＵ１２は、第１出力制御手段の一例である。Ｓ１４４、Ｓ１４８、Ｓ１５２を実行するＣＰＵ１２は、第２出力制御手段の一例である。Ｓ１５０を実行するＣＰＵ１２は、ページ数入力受付手段の一例である。Ｓ１３１を実行するＣＰＵ１２は、データ順入力受付手段の一例である。画像データはドキュメントデータの一例である。
【００８５】
なお、各プログラムは一つのプログラムモジュールから構成されるものであってもよいし、複数のプログラムモジュールから構成されるものであってもよい。また、各一例は置換可能な他の構成であってもよく、本発明の範疇である。プログラム（スキャンアプリケーション３２ａ、ビューワアプリケーション３２ｂ）に基づく処理を実行するコンピュータ（ＣＰＵ１２）であってもよいし、オペレーティングシステムや他のアプリケーション、プログラムなど、本実施例のプログラム以外のプログラムに基づく処理を実行するコンピュータであってもよいし、コンピュータの指示に従って動作するハード構成（パネル２２など）であってもよいし、コンピュータとハード構成とが連動した構成であってもよい。もちろん、複数のプログラムに基づく処理を連動させて処理を実行するコンピュータであってもよいし、複数のプログラムに基づく処理を連動させて処理を実行するコンピュータの指示に従って動作するハード構成であってもよい。
【符号の説明】
【００８６】
１０：携帯電話、１２：ＣＰＵ、１４ａ：画像ファイル記憶領域、２２：パネル
【図１】
2014048925.tif 000003
【図２】
2014048925.tif 000004
【図３】
2014048925.tif 000005
【図４】
2014048925.tif 000006
【図５】
2014048925.tif 000007
【図６】
2014048925.tif 000008
【図７】
2014048925.tif 000009
【図８】
2014048925.tif 000010
【図９】
2014048925.tif 000011
【図１０】
2014048925.tif 000012